(57)【要約】      （修正有）【課題】プローブを差し替える場合に自動的にプローブにあった動作条件に切り替えるようにした美容器具の提供【解決手段】第１の振動子、第２の振動子を備えた第１及び第２のプローブ２、３と、第１の振動子を第１の周波数で振動させる第１の駆動部、及び第２の振動子を第１の周波数と同一又は第１の周波数とは異なる第２の周波数で振動させる第２の駆動部を有する器具本体１と、を備え、第１のプローブは端部に第１のコネクタを有し、第２のプローブは端部に第２のコネクタを有し、器具本体は第３のコネクタ１ｂを有し、第３のコネクタは第１の駆動部と第２の駆動部とのいずれかと接続され、器具本体は、第３のコネクタに、第１のコネクタが接続されたか、第２のコネクタが接続されたかを検出し、第３のコネクタに、第１のコネクタが接続された場合は前１の駆動部に、第２のコネクタが接続された場合は第２の駆動部に切り替える制御部を有する構成とする。【選択図】図１
2018134128.tif 000002
【特許請求の範囲】
【請求項１】
第１の振動子を備えた第１のプローブと、
第２の振動子を備えた第２のプローブと、
前記第１の振動子を所定の範囲内の第１の周波数により振動させる第１の駆動部、及び前記第２の振動子を前記第１の周波数と同一又は前記所定の範囲内の前記第１の周波数とは異なる第２の周波数により振動させる第２の駆動部を有する器具本体と、を備え、
前記第１のプローブは端部に第１のコネクタを有し、
前記第２のプローブは端部に第２のコネクタを有し、
前記器具本体は前記第１のコネクタと前記第２のコネクタとのうちの一方と選択的に接続される第３のコネクタを有し、
前記第３のコネクタは前記第１の駆動部と前記第２の駆動部とのいずれかと接続され、
前記器具本体は、前記第３のコネクタに、前記第１のコネクタが接続されたか、前記第２のコネクタが接続されたかを検出し、前記第３のコネクタに、前記第１のコネクタが接続された場合は前記第１の駆動部に、前記第２のコネクタが接続された場合は前記第２の駆動部に切り替える制御部を有する美容器具。
【請求項２】
前記第１のプローブは顔用のプローブであり、前記第２のプローブは顔以外の身体用のプローブである請求項１に記載の美容器具。
【請求項３】
前記第１の周波数及び前記第２の周波数は２０ｋＨｚ〜２５ｋＨｚの範囲内にある請求項１又は請求項２に記載の美容器具。
【請求項４】
前記制御部は前記第１のコネクタの複数の端子のうちの１つの端子の電位と、該端子の配置と同じ配置にある、前記第２のコネクタの端子の電位との違いにより、前記第１のコネクタが接続されたか、前記第２のコネクタが接続されたかを検出する請求項１から請求項３のいずれか１項に記載の美容器具。
【請求項５】
前記第１のコネクタの複数の端子のうちの１つの端子が固定電位とされ、該端子の配置と同じ配置にある、前記第２のコネクタの端子が前記固定電位と異なる固定電位又はフローティングとされている請求項１から請求項４のいずれか１項に記載の美容器具。
【請求項６】
第１の振動子を備えた第１のプローブと、
第２の振動子を備えた第２のプローブと、
前記第１の振動子を所定の範囲内の第１の周波数により振動させる第１の駆動部、及び、前記第２の振動子を前記第１の周波数と同一又は前記所定の範囲内の前記第１の周波数とは異なる第２の周波数により振動させる第２の駆動部を有する器具本体と、を備え、
前記第１のプローブは端部に第１のコネクタを有し、
前記第２のプローブは端部に第２のコネクタを有し、
前記器具本体は前記第１のコネクタと前記第２のコネクタとのうちの一方と選択的に接続される第３のコネクタを有し、前記第３のコネクタは前記第１の駆動部と前記第２の駆動部とのいずれかと接続される、美容器具の美容器具のプローブ切り替え方法であって、
前記第３のコネクタに、前記第１のコネクタが接続されたか、前記第２のコネクタが接続されたかを検出し、前記第３のコネクタに、前記第１のコネクタが接続された場合は前記第１の駆動部に、前記第２のコネクタが接続された場合は前記第２の駆動部に切り替える、美容器具のプローブ切り替え方法。
【請求項７】
振動子に接続され、被施術者に振動を与える第１の電極と、
前記被施術者に接続され、前記被施術者に電流を流す第２の電極と、
前記振動子を所定の周波数により振動させる駆動部、前記第１の電極又は前記第２の電極に電流を供給する電流出力部、及び前記電流出力部からの電流を前記第１の電極に流すか、前記第２の電極に流すかを切り替える切り替えスイッチ、を有する器具本体と、を備え、
前記器具本体は、モード（ａ）、モード（ｂ）、モード（ｃ）及びモード（ｄ）のいずれを選択し、前記駆動部、前記電流出力部の動作を制御し、前記切り替えスイッチを切り替える制御部を有する美容器具。
モード（ａ）  前記振動子を所定の周波数により振動させることで前記第１の電極を振動させ、前記電流出力部からの電流を前記第１の電極に流すモード
モード（ｂ）  前記電流出力部からの電流を前記第２の電極に流すモード
モード（ｃ）  前記振動子を所定の周波数により振動させることで前記第１の電極を振動させるモード
モード（ｄ）  前記振動子を所定の周波数により振動させることで前記第１の電極を振動させ、前記電流出力部からの電流を前記第２の電極に流すモード
【請求項８】
前記器具本体は、前記モード（ａ）、前記モード（ｂ）、前記モード（ｃ）及び前記モード（ｄ）のいずれかにモードを切り替えるモード切替スイッチを有し、前記制御部は前記モード切替スイッチからのモード指示信号に基づいて前記モード（ａ）、前記モード（ｂ）、前記モード（ｃ）及び前記モード（ｄ）のいずれを選択する請求項７に記載の美容器具。
【請求項９】
振動子に接続され、被施術者に振動を与える第１の電極と、
前記被施術者に接続され、前記被施術者に電流を流す第２の電極と、
前記振動子を所定の周波数により振動させる駆動部、前記第１の電極又は前記第２の電極に電流を供給する電流出力部、及び前記電流出力部からの電流を前記第１の電極に流すか、前記第２の電極に流すかを切り替える切り替えスイッチ、を有する器具本体と、を備え、
モード切替スイッチからのモード指示信号に基づいて、モード（ａ）、モード（ｂ）、モード（ｃ）及びモード（ｄ）のいずれを選択し、前記駆動部、前記電流出力部の動作を制御し、前記切り替えスイッチを切り替える、美容器具のモード切替方法。
モード（ａ）  前記振動子を所定の周波数により振動させることで前記第１の電極を振動させ、前記電流出力部からの電流を前記第１の電極に流すモード
モード（ｂ）  前記電流出力部からの電流を前記第２の電極に流すモード
モード（ｃ）  前記振動子を所定の周波数により振動させることで前記第１の電極を振動させるモード
モード（ｄ）  前記振動子を所定の周波数により振動させることで前記第１の電極を振動させ、前記電流出力部からの電流を前記第２の電極に流すモード
【発明の詳細な説明】
【技術分野】
【０００１】
本発明は、美容器具、美容器具のプローブ切り替え方法、及び美容器具のモード切替方法に関し、例えば顔等の美容効果を高める器具に利用することができる。
【背景技術】
【０００２】
従来、この種の美容器具においては、超音波の振動により、又は電界の印加により、美容液を効率良く皮膚に浸透させ、例えば顔等の美容効果を高めることがなされている。
【０００３】
すなわち超音波の振動による方法にあっては、施術する部位に美容液を塗布した後、超音波プローブにて周波数１〜３〔ＭＨｚ〕の振動を与え、これにより美容液の吸収効率を増大させるようになされている。
【０００４】
また電界の印加による方法にあっては、同様に、施術する部位に美容液を塗布して一方の電極を把持させた状態で、施術する部位に他方の電極を押し付け、これにより美容液の吸収効率を増大させるようになされている。
【０００５】
特許文献１には、振動子の駆動により電極を振動させる駆動部を本体に収納して配置すると共に、この本体に配置された電界生成部により人体に接続される電極との間に電圧を印加し、振動可能な上記電極と人体に接続される電極との間に切り換えスイッチを設けて、直流電圧を振動可能な電極と人体に接続される電極とに印加する場合と、人体に接続される電極に印加する場合との切り換えを行うことの記載がある。
【先行技術文献】
【特許文献】
【０００６】
【特許文献１】特開２０００−２１７８８１号公報
【発明の概要】
【発明が解決しようとする課題】
【０００７】
特許文献１に記載の美容器具においては、人体に振動を与える操作と、人体に直流電圧を印加して電流を流す操作との切り替えを簡便に行えること望ましい。
器具本体にプローブを接続して人体に振動を与える美容器具では、顔用のプローブと顔以外の身体用のプローブとを差し替える場合があるが、プローブを差し替える場合にプローブの特性に合うように器具本体を調整することが求められる。
【０００８】
本発明は、人体に振動を与える操作と、人体に直流電圧を印加して電流を流す操作との切り替えを簡便に行える美容器具、及び美容器具のモード切替方法を提供することを目的とする。
また本発明は、プローブの差し替える場合に自動的にプローブにあった動作条件に切り替えることができる美容器具、及び美容器具のプローブ切り替え方法を提供することを目的とする。
【課題を解決するための手段】
【０００９】
（１）本発明に係る美容器具は、第１の振動子を備えた第１のプローブと、
第２の振動子を備えた第２のプローブと、
前記第１の振動子を所定の範囲内の第１の周波数により振動させる第１の駆動部、及び前記第２の振動子を前記第１の周波数と同一又は前記所定の範囲内の前記第１の周波数とは異なる第２の周波数により振動させる第２の駆動部を有する器具本体と、を備え、
前記第１のプローブは端部に第１のコネクタを有し、
前記第２のプローブは端部に第２のコネクタを有し、
前記器具本体は前記第１のコネクタと前記第２のコネクタとのうちの一方と選択的に接続される第３のコネクタを有し、
前記第３のコネクタは前記第１の駆動部と前記第２の駆動部とのいずれかと接続され、
前記器具本体は、前記第３のコネクタに、前記第１のコネクタが接続されたか、前記第２のコネクタが接続されたかを検出し、前記第３のコネクタに、前記第１のコネクタが接続された場合は前記第１の駆動部に、前記第２のコネクタが接続された場合は前記第２の駆動部に切り替える制御部を有する美容器具である。
（２）上記（１）の美容器具において、前記第１のプローブは顔用のプローブであり、前記第２のプローブは顔以外の身体用のプローブであってもよい。
（３）上記（１）の美容器具において、前記第１の周波数及び前記第２の周波数は２０ｋＨｚ〜２５ｋＨｚの範囲内にあってもよい。
（４）上記（１）から（３）の美容器具において、前記制御部は前記第１のコネクタの複数の端子のうちの１つの端子の電位と、該端子の配置と同じ配置にある、前記第２のコネクタの端子の電位との違いにより、前記第１のコネクタが接続されたか、前記第２のコネクタが接続されたかを検出してもよい。
（５）上記（１）から（４）の美容器具において、前記第１のコネクタの複数の端子のうちの１つの端子が固定電位とされ、該端子の配置と同じ配置にある、前記第２のコネクタの端子が前記固定電位と異なる固定電位又はフローティングとされていてもよい。
（６）本発明に係る美容器具のプローブ切り替え方法は、
第１の振動子を備えた第１のプローブと、
第２の振動子を備えた第２のプローブと、
前記第１の振動子を所定の範囲内の第１の周波数により振動させる第１の駆動部、及び、前記第２の振動子を前記第１の周波数と同一又は前記所定の範囲内の前記第１の周波数とは異なる第２の周波数により振動させる第２の駆動部を有する器具本体と、を備え、
前記第１のプローブは端部に第１のコネクタを有し、
前記第２のプローブは端部に第２のコネクタを有し、
前記器具本体は前記第１のコネクタと前記第２のコネクタとのうちの一方と選択的に接続される第３のコネクタを有し、前記第３のコネクタは前記第１の駆動部と前記第２の駆動部とのいずれかと接続される、美容器具の美容器具のプローブ切り替え方法であって、
前記第３のコネクタに、前記第１のコネクタが接続されたか、前記第２のコネクタが接続されたかを検出し、前記第３のコネクタに、前記第１のコネクタが接続された場合は前記第１の駆動部に、前記第２のコネクタが接続された場合は前記第２の駆動部に切り替える、美容器具のプローブ切り替え方法である。
（７）また本発明に係る美容器具は、
振動子に接続され、被施術者に振動を与える第１の電極と、
前記被施術者に接続され、前記被施術者に電流を流す第２の電極と、
前記振動子を所定の周波数により振動させる駆動部、前記第１の電極又は前記第２の電極に電流を供給する電流出力部、及び前記電流出力部からの電流を前記第１の電極に流すか、前記第２の電極に流すかを切り替える切り替えスイッチ、を有する器具本体と、を備え、
前記器具本体は、モード（ａ）、モード（ｂ）、モード（ｃ）及びモード（ｄ）のいずれを選択し、前記駆動部、前記電流出力部の動作を制御し、前記切り替えスイッチを切り替える制御部を有する美容器具である。
モード（ａ）  前記振動子を所定の周波数により振動させることで前記第１の電極を振動させ、前記電流出力部からの電流を前記第１の電極に流すモード
モード（ｂ）  前記電流出力部からの電流を前記第２の電極に流すモード
モード（ｃ）  前記振動子を所定の周波数により振動させることで前記第１の電極を振動させるモード
モード（ｄ）  前記振動子を所定の周波数により振動させることで前記第１の電極を振動させ、前記電流出力部からの電流を前記第２の電極に流すモード
（８）上記（７）の美容器具において、前記器具本体は、前記モード（ａ）、前記モード（ｂ）、前記モード（ｃ）及び前記モード（ｄ）のいずれかにモードを切り替えるモード切替スイッチを有し、前記制御部は前記モード切替スイッチからのモード指示信号に基づいて前記モード（ａ）、前記モード（ｂ）、前記モード（ｃ）及び前記モード（ｄ）のいずれを選択してもよい。
（９）本発明に係る美容器具のモード切替方法は、
振動子に接続され、被施術者に振動を与える第１の電極と、
前記被施術者に接続され、前記被施術者に電流を流す第２の電極と、
前記振動子を所定の周波数により振動させる駆動部、前記第１の電極又は前記第２の電極に電流を供給する電流出力部、及び前記電流出力部からの電流を前記第１の電極に流すか、前記第２の電極に流すかを切り替える切り替えスイッチ、を有する器具本体と、を備え、
モード切替スイッチからのモード指示信号に基づいて、モード（ａ）、モード（ｂ）、モード（ｃ）及びモード（ｄ）のいずれを選択し、前記駆動部、前記電流出力部の動作を制御し、前記切り替えスイッチを切り替える、美容器具のモード切替方法である。
モード（ａ）  前記振動子を所定の周波数により振動させることで前記第１の電極を振動させ、前記電流出力部からの電流を前記第１の電極に流すモード
モード（ｂ）  前記電流出力部からの電流を前記第２の電極に流すモード
モード（ｃ）  前記振動子を所定の周波数により振動させることで前記第１の電極を振動させるモード
モード（ｄ）  前記振動子を所定の周波数により振動させることで前記第１の電極を振動させ、前記電流出力部からの電流を前記第２の電極に流すモード
【発明の効果】
【００１０】
本発明によれば、人体に振動を与える操作と、人体に電圧を印加して電流を流す操作との切り替えを簡便に行えることができる。
また、本発明によれば、プローブを差し替える場合に自動的にプローブにあった動作条件に切り替えることができる。
【図面の簡単な説明】
【００１１】
【図１】本発明の実施の形態に係る美容器具の器具本体及び器具部品の一部を示す構成図である。
【図２】本発明の実施の形態に係る美容器具の他の器具部品の一部を示す構成図である。
【図３】器具本体の回路構成及びフェイスプローブの構成を示すブロック図である。
【図４】フェイスプローブとボディプローブとのうちどちらが接続されたかを検出する方法を示すフローチャートである。
【図５】（Ａ）〜（Ｃ）はフェイスプローブ２のコネクタとボディプローブ３のコネクタとの違いを示す断面図である。
【図６】第１〜第４のモード選択動作を示すフローチャートである。
【図７】制御ユニットの一構成例を示すブロック図である。
【図８】超音波発生ユニットの一構成例を示すブロック図である。
【図９】定電流出力ユニットの一構成例を示すブロック図である。
【発明を実施するための形態】
【００１２】
以下、本発明の実施形態について図面を用いて詳細に説明する。
図１は、本発明の実施の形態に係る美容器具の器具本体及び器具部品の一部を示す構成図である。図２は本発明の実施の形態に係る美容器具の他の器具部品の一部を示す構成図である。ここに示す器具部品は一例であって必要に応じて器具部品を選択してよく、他の器具部品を器具本体に接続してもよい。
【００１３】
本実施形態の美容器具は、器具本体１と、器具本体１と接続されるフェイスプローブ２及びボディプローブ３と、器具本体１と接続される電極コード４と、電極コード４に接続されるエレクトロード５及び５分極コード６と、を備えている。フェイスプローブ２、ボディプローブ３、電極コード４、エレクトロード５及び５分極コード６は器具部品となる。フェイスプローブ２は第１のプローブ又は第２のプローブ、ボディプローブ３は第２のプローブ又は第１のプローブとなる。フェイスプローブ２は顔用のプローブであり、ボディプローブ３は顔以外の身体用のプローブである。なお、プローブとは器具本体と被施術者との間を接続するもので、器具本体から超音波、電流等を被施術者に加える器具部品である。
【００１４】
器具本体１のフロントパネルは、電源スイッチ１ａと、第３のコネクタとなるプローブコネクタ１ｂと、モード設定表示部１ｃと、モード切替スイッチ１ｄと、タイマー設定スイッチ１ｅと、イオンレベルダイヤル１ｆと、電極コードコネクタ１ｇと、表示パネル１ｈと、を備えている。
【００１５】
プローブコネクタ１ｂには、フェイスプローブ２のコネクタ２ａとボディプローブ３のコネクタ３ａとのうちの一方が選択的に接続される。器具本体１のプローブコネクタ１ｂは６個のＵ字状のメス端子を有する。フェイスプローブ２のコネクタ２ａは６個のピン状のオス端子を有し、ボディプローブ３のコネクタ３ａは６個のピン状のオス端子を有する。フェイスプローブ２のコネクタ２ａとボディプローブ３のコネクタ３ａとは端子配置が同じになっており、ともに器具本体のプローブコネクタ１ｂに接続可能となっている。コネクタ２ａは第１のコネクタ又は第２のコネクタとなり、コネクタ３ａは第２のコネクタ又は第１のコネクタとなる。
モード設定表示部１ｃは後述する４つのモードのいずれかに合わせて４つのＬＥＤのうちのいずれかが点灯する。モード切替スイッチ１ｄは４つのモードを切り換えるスイッチで、スイッチを押すたびに、モードが順次シフトしていく。
【００１６】
タイマー設定スイッチ１ｅは電極コードコネクタ１ｇに接続される電極コード４に流すパルス直流電流印加の時間を設定する。スイッチを押すたびに、２０分、１５分、１０分等の異なる時間が順次シフトして設定される。
イオンレベルダイヤル１ｆはパルス直流電流の電流値を設定するもので、適する電流強度までダイアルを回す。
電極コードコネクタ１ｇは電極コード４のコネクタ４ａが接続される。電極コード４はアース用プラグ４ｂと電極コードプラグ４ｃとに分かれている。アース用プラグ４ｂはエレクトロード５に接続され、電極コードプラグ４ｃは５分極コード６のコネクタ６ａに接続される。５分極コード６の他端はクリップ６ｂ〜６ｅ、ローラー６ｆとなっている。クリップ６ｂ〜６ｅ、ローラー６ｆは第２の電極となる。エレクトロード５は施術する被験者に把持させる。クリップ６ｂ〜６ｅは水分を含んだフェイスマスクに挟む。ローラー６ｆはフェイスマスク上にあてることができる。クリップ６ｂ〜６ｅ、ローラー６ｆは施術する部位に電圧を印加して電流を流す。
【００１７】
モード切替スイッチ１ｄにより選択される４つのモードは以下の第１モードから第４モードである。第１モード〜第４モードはそれぞれモード（ａ）〜モード（ｄ）に対応する。
第１モード：フェイスプローブ２又はボディプローブ３を用いて、超音波振動印加（ソノフォレーシス）とパルス直流電流印加（イオントフォレーシス）との同時導入を行うモード
第２モード：５分極コードを用いて、パルス直流電流印加（イオントフォレーシス）を行うモード
第３モード：フェイスプローブ２又はボディプローブ３を用いて、超音波振動印加（ソノフォーシス）を行うモード
第４モード：５分極コードを用いたパルス直流電流印加（イオントフォレーシス）と、フェイスプローブ２又はボディプローブ３を用いた超音波振動印加（ソノフォーシス）を同時に行うモード
【００１８】
図３は器具本体１の回路構成及びフェイスプローブ２の構成を示すブロック図である。器具本体１は制御ユニット１１、超音波発生ユニット１２、電流出力部となる定電流出力ユニット１３、電源ユニット１４、切り換えスイッチ１５及びボリューム１６を備えている。
電源ユニット１４は商用電源から供給される交流電圧を整流して制御ユニット１１、超音波発生ユニット１２、定電流出力ユニット１３に供給する。
【００１９】
フェイスプローブ２は、図１及び図３に示すように、全体が略円柱形状のプローブ本体２ｃと、コネクタ２ａと、プローブ本体２ｃとコネクタ２ａとを接続するケーブル２ｄにより構成され、プローブ本体２ｃの先端に円板形状の電極２ｂ（第１の電極となる）が配置される。フェイスプローブ２は、この電極２ｂと超音波振動子２２の電極２ｆが電気的に接続され、この超音波振動子２２の振動により電極２ｂが所定の範囲の周波数により振動するようになされている。ここで、フェイスプローブ２は、この超音波振動子２２の共振周波数が２０ｋＨｚ〜２５ｋＨｚの範囲内、例えば２３ｋＨｚになるように、全体の形状が形成される。これに対して電極２ｂにおいては、汗等により変化しないように、ステンレスにより形成される。フェイスプローブ２にはスイッチ２１が側面に配置され、スイッチ２１を押すことで、制御ユニット１１により超音波発生ユニット１２が制御され、超音波印加が開始される。
【００２０】
フェイスプローブ２は、超音波振動子２２を超音波発生ユニット１２により駆動できるように、超音波振動子２２の両端電極２ｅ、２ｆから配線Ｌ１、Ｌ２がそれぞれ延長するようにプローブ本体２ｃにケーブル２ｄが接続され、このケーブル２ｄに接続されるコネクタ２ａがプローブコネクタ１ｂと接続される。そして、器具本体１の超音波発生ユニット１２にプローブコネクタ１ｂからの配線Ｌ１、Ｌ２が接続されるようになっている。
【００２１】
切り替えスイッチ１５は制御ユニット１１からのパルス出力切替信号（第３出力制御信号）によって、定電流出力ユニット１３の出力を配線Ｌ２と、電極コードコネクタ１ｇとのいずれかに接続可能となっている。定電流出力ユニット１３の出力が配線Ｌ２に接続されると、電極２ｆを介して電極２ｂに定電流出力ユニット１３からの出力電流が流れる。ボリューム１６は音声出力の制御を行う。
【００２２】
定電流出力ユニット１３の出力を電極コードコネクタ１ｇ側に接続すると、エレクトロード５及び５分極コード６との間に直流電圧を間欠的に、又は継続して印加できるようになされる。これにより美容器具は、施術する部位に美容液を塗布してエレクトロード５を把持させた後、クリップ６ｂ〜６ｅ、ローラー６ｆを用いて、施術する部位に電界を印加して美容液を効率良く皮膚に浸透させることができるようになされている。なお、ここでは直流電圧を間欠的に、又は継続して印加しているが交流電圧を印加してもよい。
【００２３】
また、これに代えて定電流出力ユニット１３の出力を配線Ｌ２側に接続すると、エレクトロード５とフェイスプローブ２の電極２ｂとの間に直流電圧を間欠的に、又は継続して印加できるようになされ、これにより施術する部位に超音波による振動を与えながら、併せて電界を印加することができるようになされ、単に超音波の振動のみによる場合、電界の印加のみによる場合に比して、格段的に効率良く美容液を皮膚に浸透させることができるようになされている。なおこの実施の形態においては、この美容液としてビタミンを含有したゼリー状の液体が適用されるようになされている。
【００２４】
図１に示すボディプローブ３もフェイスプローブ２と同様な構成を有し、先端に、電極２より大きく、中央部が膨らんだ円盤形状の電極３ｂが配置されたプローブ本体３ｃと、コネクタ３ａと、プローブ本体３ｃとコネクタ３ａとを接続するケーブル３ｄにより構成される。ボディプローブ３は、フェイスプローブ２と同様に側面にスイッチ３１が配置され、スイッチ３１を押すことで超音波に印加が開始される。ボディプローブ３は、ボディプローブ３内に設けられた超音波振動子の共振周波数が２０ｋＨｚ〜２５ｋＨｚの範囲内、例えば２３ｋＨｚになるように、全体の形状が形成される。フェイスプローブ２とボディプローブ３の超音波振動子の共振周波数は、２０ｋＨｚ〜２５ｋＨｚの範囲内で設定されることが望ましいが、必要に応じてこの範囲より大きい範囲の周波数としてもよい。フェイスプローブ２とボディプローブ３の超音波振動子の共振周波数は同一でも、異なっていてもよい。フェイスプローブ２の超音波振動子の共振周波数はボディプローブ３の超音波振動子の共振周波数より小さくても、大きくてもよい。
超音波発生ユニット１２は、フェイスプローブ２の超音波振動子を共振周波数が２０ｋＨｚ〜２５ｋＨｚの範囲内の周波数（例えば２３ｋＨｚ）により振動させる駆動部と、ボディプローブ３の超音波振動子を共振周波数が２０ｋＨｚ〜２５ｋＨｚの範囲内の周波数（例えば２３ｋＨｚ）により振動させる駆動部とを備えている。これらの駆動部については図８を用いて後述する。
【００２５】
フェイスプローブ２の電極２ｂ又はボディプローブ３の電極３ｂを施術する部位に押し当てることにより、この施術する部位に予め塗布した美容液を電極２ｂ又はボディプローブ３の電極３ｂの超音波振動により効率良く皮膚に浸透させることができる。
プローブコネクタ１ｂに、フェイスプローブ２のコネクタ２ａとボディプローブ３のコネクタ３ａとのうちの一方が選択的に接続されると、制御ユニット１１は、フェイスプローブとボディプローブ３とのうちどちらが接続されたかを検出し、その検出結果に基づいて、超音波発生ユニット１２の駆動部（フェイス用駆動部、ボディ用駆動部のいずれか）を切り替える。
【００２６】
図４は、フェイスプローブ２とボディプローブ３とのうちどちらが接続されたかを検出する方法を示すフローチャートである。図５（Ａ）〜（Ｃ）はフェイスプローブ２のコネクタとボディプローブ３のコネクタとの違いを示す断面図である。図５では理解の容易化のためにフェイスプローブ及びボディプローブのコネクタの６つのオス端子、プローブコネクタの６個のメス端子は一列に配置されているが、実際は円状に配置されている。制御ユニット１１は、フェイスプローブ２のコネクタ２ａの複数の端子のうちの１つの端子の電位と、該端子の配置と同じ配置にある、ボディプローブ３のコネクタ３ａの端子の電位との違いにより、コネクタ２ａが接続されたか、コネクタ３ａが接続されたかを検出することができる。以下に説明するプローブの検出方法は、検出方法の一例を示すもので、特にこれらの方法に限定されるものではない。例えば、不使用の空き端子が２つ以上有る場合には、フェイスプローブ２の空き端子間を接続、ボディプローブ３の空き端子間を開放しておけば、フェイスプローブ２のコネクタ２ａが接続されたか、ボディプローブ３のコネクタ３ａが接続されたかを検出することができる。
【００２７】
図５（Ａ）に示すように、フェイスプローブ２のコネクタ２ａのオス端子Ｔ１は固定電圧（ここでは、グランド）に接続されて固定電位とされ、図５（Ｂ）に示すように、ボディプローブ３のコネクタ３ａのオス端子Ｔ１はフローティングにされている。ボディプローブ３のコネクタ３ａのオス端子Ｔ１は、グランド電位との違いを検出可能であれば、グランド電位と異なる他の電位（固定電位）とされてもよい。電源が抵抗の一端に接続されて、その一端に電圧Ｖが印加され、抵抗の他端はプローブコネクタ１ｂのメス端子Ｐ１に接続される。プローブコネクタ１ｂにフェイスプローブ２のコネクタ２ａが接続されると、抵抗による電圧降下によりプローブコネクタ１ｂのメス端子Ｐ１の電位はほぼグランド電位となる。一方、プローブコネクタ１ｂにボディプローブ３のコネクタ３ａが接続されると、プローブコネクタ１ｂのメス端子Ｐ１の電位はほぼ電圧Ｖとなる。
【００２８】
図４のステップＳ１０１において、プローブコネクタ１ｂにフェイスプローブ２のコネクタ２ａ又はボディプローブ３のコネクタ３ａが接続されると、制御ユニット１１は、プローブコネクタ１ｂのメス端子Ｐ１の電位がグランド電位か電位Ｖかで、接続されたプローブの種類を検出する。
【００２９】
ステップＳ１０２において、プローブコネクタ１ｂのメス端子Ｐ１がグランド電位であればフェイスプローブ２が接続されていると判断し（ステップＳ１０２：フェイスプローブ）、電位Ｖであればボディプローブ３が接続されていると判断する（ステップＳ１０２：ボディプローブ）。フェイスプローブ２が接続されていると判断された場合は、ステップＳ１０４において、制御ユニット１１からの指示に基づいて、超音波発生ユニット１２はフェイス用の駆動部に切り換える。ボディプローブ３が接続されていると判断された場合は、ステップＳ１０５において、制御ユニット１１からの指示に基づいて、超音波発生ユニット１２はボディ用の駆動部に切り換える。その後、制御ユニット１１はモード切替スイッチ１ｄからのモード選択信号に基づいて、モードを選択して超音波発生ユニット１２、定電流出力ユニット１３、及び切り換えスイッチ１５を制御する。
【００３０】
なお、プローブコネクタ１ｂの２つのメス端子Ｐ１、Ｐ２を使えば、プローブコネクタ１ｂに、フェイスプローブ２のコネクタとボディプローブ３のコネクタとのうちの一方が接続されているかどうかと、どちらが接続されているかの両方を検出することができる。図５（Ｃ）に示すように、ボディプローブ３のコネクタ３ａのオス端子Ｔ１、Ｔ２をグランドに接続する。図５（Ａ）に示すように、フェイスプローブ２のコネクタ２ａのオス端子Ｔ１をグランドに接続する。すると、制御ユニット１１は、プローブコネクタ１ｂのメス端子Ｐ１がグランド電位であれば、フェイスプローブ２とボディプローブ３のコネクタとのうちの一方が、プローブコネクタ１ｂのメス端子Ｐ１に接続されていることを検出できる。さらに、プローブコネクタ１ｂのメス端子Ｐ１のみがグランド電位であればフェイスプローブ２がプローブコネクタ１ｂのメス端子Ｐ１に接続されていると判断し、プローブコネクタ１ｂのメス端子Ｐ１、Ｐ２の両方がグランド電位であればボディプローブ３がプローブコネクタ１ｂのメス端子Ｐ１に接続されていると判断できる。
【００３１】
このように、制御ユニット１１は、プローブコネクタ１ｂのコネクタに、フェイスプローブ２のコネクタとボディプローブ３のコネクタとのうちの一方が接続されているかどうか、又は／及びプローブコネクタ１ｂのコネクタに、フェイスプローブ２のコネクタとボディプローブ３のコネクタのどちらが接続されているか検出することができる。
【００３２】
その結果、制御ユニット１１は、検出結果に基づいて、モード切替スイッチ１ｄによって第１、第３、又は第４のモードが選択されているにもかかわらず、フェイスプローブ２とボディプローブ３のどちらも接続されていないことを警告することが可能となる。また、制御ユニット１１は、フェイスプローブ２とボディプローブ３のどちらが接続されているかを検出して、超音波発生ユニット１２によってプローブの種類に合わせた駆動部に切り換えることができる。
【００３３】
図６は、第１〜第４のモード選択動作を示すフローチャートである。
ステップＳ２０１において、制御ユニット１１は、モード切替スイッチ１ｄからモード選択信号を受ける。次に、ステップＳ２０２において、制御ユニット１１は、モード選択信号が第１のモードかどうかを判断する。
【００３４】
ステップＳ２０２において、制御ユニット１１が第１のモードと判断した場合、ステップＳ２０３において、制御ユニット１１は、切り換えスイッチ１５により、定電流出力ユニット１３の出力をプローブ側（配線Ｌ２側）に切り換える。次に、ステップＳ２０４において、制御ユニット１１は、超音波発生ユニット１２と定電流出力ユニット１３とを動作させる。
【００３５】
ステップＳ２０２において、制御ユニット１１が第１のモードでないと判断した場合、ステップＳ２０５において、制御ユニット１１は、切り換えスイッチ１５により、定電流出力ユニット１３の出力を電源コード側（電極コードコネクタ１ｇ側）に切り換える。次に、ステップＳ２０６において、制御ユニット１１は、モード選択信号が第４のモードかどうかを判断する。
【００３６】
ステップＳ２０６において、制御ユニット１１が第４のモードと判断した場合、ステップＳ２０７において、制御ユニット１１は、超音波発生ユニット１２と定電流出力ユニット１３とを動作させる。
【００３７】
ステップＳ２０６において、制御ユニット１１が第４のモードでないと判断した場合、ステップＳ２０８において、制御ユニット１１は、モード選択信号が第３のモードかどうかを判断する。ステップＳ２０６において、制御ユニット１１が第３のモードでないと判断した場合、ステップＳ２０９において、制御ユニット１１は、定電流出力ユニット１３を動作させる。ステップＳ２０６において、制御ユニット１１が第３のモードと判断した場合、ステップＳ２１０において、制御ユニット１１は、超音波発生ユニット１２を動作させる。
このように制御ユニットは、モード切替スイッチ１ｄからのモード選択信号によって、超音波発生ユニット１２、定電流出力ユニット１３、及び切り換えスイッチ１５を制御して、自動的に第１〜第４のモードのいずれかを選択することができる。
【００３８】
図７は制御ユニットの一構成例を示すブロック図である。図７に示すように、制御部となる制御ユニット１１はマイクロコンピュータ（以下、マイコンという）１１１、ＬＥＤ１１２、７セグメントＬＥＤ１１３、電流表示部１１４、及び電圧制御部１１５を備えている。
【００３９】
電圧制御部１１５は、マイコン１１１、ＬＥＤ１１２、７セグメントＬＥＤ１１３、電流表示部１１４の動作に必要な電圧を生成して供給する。ＬＥＤ１１２、７セグメントＬＥＤ１１３、電流表示部１１４は、器具本体１のフロントパネルの表示パネル１ｈの裏面側に配置される。ＬＥＤ１１２は超音波振動印加（ソノフォレーシス）がされていることを示す。７セグメントＬＥＤ１１３はパルス直流電流印加の時間の経過を表示する。電流表示部１１４は、モード１でフェイスプローブ２及びボディプローブ３に流れる電流値、モード２又はモード４で５分極コードに流れる電流値を表示する。電流表示部１１４はＬＥＤアレイ等を用いて、電流値をバーの長さで表示する。ＬＥＤ１１２、７セグメントＬＥＤ１１３、電流表示部１１４、及び表示パネル１ｈを液晶表示パネルに置き換えて表示を行ってもよい。
【００４０】
マイコン１１１は、ＣＰＵ、制御プログラムが記憶されたＲＯＭ、ＣＰＵの演算処理のためのデータを記憶するＲＡＭ等から構成される。マイコン１１１は器具本体１のフロントパネルのモード切替スイッチ１ｄからモード選択信号、タイマー設定スイッチ１ｅからタイマー設定信号、イオンレベルダイヤル１ｆからレベル信号、を受ける。また、マイコン１１１は、モード１でフェイスプローブ２及びボディプローブ３に流れる電流値、モード２又はモード４で５分極コードに流れる電流値を示す出力電流検出信号を定電流出力ユニット１３から受ける。また、超音波発生ユニット１２から温度検出信号を受ける。
【００４１】
マイコン１１１は、図４のステップＳ１０１、ステップＳ１０２及び図５（Ａ）〜図５（Ｃ）を用いて説明した、プローブコネクタ１ｂに、フェイスプローブ２のコネクタ２ａとボディプローブ３のコネクタ３ａのどちらが接続されたかを検出する処理を記述したプログラムに従って行う。そして、図４のステップＳ１０３又はステップＳ１０４の動作を行うために、超音波発生ユニット１２に、フェイス用駆動部又はボディ用駆動部を指示する第１出力制御信号（ＦＡＣＥ／ＢＯＤＹ）を出力する。
【００４２】
また、マイコン１１１は、超音波発生ユニット１２に、超音波発生ユニット１２の動作をオン、オフするための第２出力制御信号（ＯＮ／ＯＦＦ）を出力する。マイコン１１１は、モード選択信号がモード１、モード３、モード４である場合には、超音波発生ユニット１２に、超音波発生ユニット１２をオン動作させるための第２出力制御信号（ＯＮ）を出力する。マイコン１１１は、モード選択信号がモード２である場合、又は温度検出信号により超音波発生ユニット１２の温度が一定温度以上に上昇したことを検出した場合には、超音波発生ユニット１２に、超音波発生ユニット１２をオフ動作させるための第２出力制御信号（ＯＦＦ）を出力する。
また、マイコン１１１は、定電流出力ユニット１３に、出力極性切替信号、イオンレベルダイヤル１ｆによるパルス直流電流の電流値に基づいて出力電流の値を制御する第４出力制御信号、及びパルス信号を送る。
【００４３】
また、マイコン１１１は、モード選択信号に基づいてパルス出力切替信号（第３出力制御信号）を切り替えスイッチ１５に出力する。モード選択信号がモード１の場合には、切り替えスイッチ１５は定電流出力ユニット１３の出力を配線Ｌ２に接続する。モード選択信号がモード２、３、４の場合には、切り替えスイッチ１５は定電流出力ユニット１３の出力を電極コードコネクタ１ｇに接続する。
【００４４】
図８は超音波発生ユニットの一構成例を示すブロック図である。図８に示すように、超音波発生ユニット１２は、電圧制御部１２１、ドライブアンプ１２２、トランス１２３、ファイナルアンプ１２４、トランス１２５、フィルタ１２６、切替器１２７、移相変換器１２８、移相変換器１２９、切替器１３０、及び温度検出器１３１を備えている。電圧制御部１２１、ドライブアンプ１２２、トランス１２３、ファイナルアンプ１２４、トランス１２５、フィルタ１２６、及び移相変換器１２８はフェイス用駆動部（第１の駆動部となる）を構成する。電圧制御部１２１、ドライブアンプ１２２、トランス１２３、ファイナルアンプ１２４、トランス１２５、フィルタ１２６、及び移相変換器１２９はボディ用駆動部（第２の駆動部となる）を構成する。移相変換器１２８は、プローブコネクタ１ｂにフェイスプローブ２のコネクタ２ａを接続したときに、フェイスプローブ２の超音波振動子が、共振周波数が２０ｋＨｚ〜２５ｋＨｚの範囲内の周波数（例えば２３ｋＨｚ）になるように、回路素子が調整される。また、移相変換器１２９は、プローブコネクタ１ｂにボディプローブ３のコネクタ３ａを接続したときに、ボディプローブ３の超音波振動子が、共振周波数が２０ｋＨｚ〜２５ｋＨｚの範囲内の周波数（例えば２３ｋＨｚ）になるように回路素子が調整される。
電圧制御部１２１は、第１出力制御信号（ＦＡＣＥ／ＢＯＤＹ）によりトランス１２５に与える電圧を制御する。第１出力制御信号（ＦＡＣＥ／ＢＯＤＹ）により、スイッチ等の切替器１２７、１３０は移相変換器１２８と移相変換器１２９のうちのいずれかに切り替える。こうして、フェイス用駆動部かボディ用駆動部かに切り替えることができる。電圧制御部１２１は、移相変換器１２８と移相変換器１２９とを切り替える場合に、フェイス用かボディ用かでトランス１２５に与える電圧を切り替えてもよい。また、トランス１２５に与える電圧のみを切り替えてもよい。このような電圧の切り替えも駆動部の切り替えに含まれる。
【００４５】
第２出力信号（ＯＮ／ＯＦＦ）はドライブアンプ１２２に入力され、ドライブアンプ１２２はトランス１２３からの出力を制御する。トランス１２３の出力はファイナルアンプ１２４を介してトランス１２５に入力され、所定範囲の周波数となるようにフィルタ１２６を介して発振出力が出力される。この発振出力により、フェイスプローブ２又はボディプローブ３の超音波振動子を動作させる。フィルタ１２６の出力は切替器１２７に入力され、移相変換器１２８又は移相変換器１２９を介してドライブアンプ１２２に入力される。
温度検出器１３１は制御ユニット１１に温度検出信号を出力する。
【００４６】
図９は定電流出力ユニットの一構成例を示すブロック図である。図９に示すように、定電流出力ユニット１３は、電圧制御部１３６、ドライブアンプ１３２、ファイナルアンプ１２４、フィルタ１３４、極性切替器１３５を備えている。
電圧制御部１３６は、制御ユニットからの第４出力制御信号に基づいてファイナルアンプ１３３に供給する電圧を制御する。第４出力制御信号はイオンレベルダイヤル１ｆにより設定されるパルス直流電流の電流値に基づいて、電圧制御部１３６を制御し、ファイナルアンプ１３３に供給される電圧を制御する。
【００４７】
制御ユニット１１からのパルス信号はドライブアンプ１３２に入力され、ファイナルアンプ１３３、フィルタ１３４、極性切替器１３５を介して、パルス直流電圧が出力される。
パルス信号に基づいて、ドライブアンプ１３２及びファイナルアンプ１３３は間欠的に直流電圧による出力電圧を立ち上げる。このとき、出力電流の平均値又はピーク値が一定の基準電流値になるように、出力電圧を立ち上げる。極性切替器１３５は出力極性切替信号に基づいて出力電圧の極性を切り換える。出力電圧の極性が切り換わると、これにより施術する部位に印加する電界の向きを切り換えることができる。従って皮膚に吸収させようとする美容液の有効成分に応じて極性を設定することができ、これによっても単に一方向の極性により電界を印加する場合に比して、美容液の吸収効率を向上させることができる。
【符号の説明】
【００４８】
１  器具本体
２  フェイスプローブ
３  ボディプローブ
４  電極コード
５  エレクトロード
６  ５分極コード
１１  制御ユニット
１２  超音波発生ユニット
１３  定電流出力ユニット
１４  電源ユニット
１５  切り換えスイッチ
【図１】
2018134128.tif 000003
【図２】
2018134128.tif 000004
【図３】
2018134128.tif 000005
【図４】
2018134128.tif 000006
【図５】
2018134128.tif 000007
【図６】
2018134128.tif 000008
【図７】
2018134128.tif 000009
【図８】
2018134128.tif 000010
【図９】
2018134128.tif 000011